(57)【要約】【課題】  アナログ回路を必要とせず、且つ、処理の高速化を図れるレーザパワー設定手法ならびにそれを搭載した光ディスク装置を提供する。【解決手段】  上記アシンメトリ検出回路１１３は、ビタビ復号回路１１１から入力される期待値リストをもとに、８番目の期待値（８）の信号レベルＥ８と中央の期待値（４）の信号レベルＥ４の差と、中央の期待値（４）の信号レベルＥ４と０番目の期待値（０）の信号レベルＥ０の差を検出する。そして、これら２つの差をさらに減算することにより、アシンメトリのズレ（偏り）の方向および大きさを表す値（アシンメトリ値）を取得する。図３の場合のアシンメトリ値Ａ１は、Ａ１＝(E8−E4)−(E4−E0)＝ 3.3−4.7 ＝ −1.4となる。コントローラ１１６は、取得したアシンメトリ値から近似直線を算出し、近似直線上において目標値を与えるレーザパワーを記録パワーに設定する。【選択図】    図３
2006012339.tif 000002
【特許請求の範囲】
【請求項１】
レーザ光を用いてディスク上に情報を記録再生する光ディスク装置において、
所定サンプリングタイミングにおける再生信号の振幅値データを取得する振幅値データ取得手段と、
該振幅値データ取得手段にて取得された振幅値データから振幅値の分布状態を検出し、その検出結果に基づいて記録レーザパワーを設定するレーザパワー設定手段とを有する、
ことを特徴とする光ディスク装置。
【請求項２】
請求項１において、
前記レーザパワー設定手段は、振幅値レンジに対する振幅値分布の偏りを検出し、該検出結果をもとに前記記録レーザパワーを設定する、
ことを特徴とする光ディスク装置。
【請求項３】
請求項２において、
前記レーザパワー設定手段は、前記偏りの方向および大きさに応じた値を算出し、該値と目標値とを比較して前記記録レーザパワーを設定する、
ことを特徴とする光ディスク装置。
【請求項４】
請求項３において、
前記レーザパワー設定手段は、異なる数種のレーザパワーで記録した記録箇所を再生して取得した前記値から記録パワーと前記値の関係を示す近似特性を算出し、該近似特性にて前記値の目標値となるレーザパワーを記録パワーとして取得する、
ことを特徴とする光ディスク装置。
【請求項５】
請求項１乃至４の何れかにおいて、
前記レーザパワー設定手段は、ビタビ復号手段にて設定された期待値をもとに、前記振幅値の分布状態を検出する、
ことを特徴とする光ディスク装置。
【請求項６】
再生信号をＡ／Ｄ変換して取り込んだ振幅値データから、所定サンプリングタイミングにおける振幅値の分布状態を検出し、検出した分布状態に基づいて記録レーザパワーを設定することを特徴とするレーザパワー設定方法。
【請求項７】
再生信号をＡ／Ｄ変換して取り込んだ振幅値データから、所定サンプリングタイミングにおける振幅値の分布状態を検出し、振幅値レンジに対する振幅値分布の偏りに応じて前記記録レーザパワーを設定することを特徴とするレーザパワー設定方法。
【請求項８】
請求項７において、
前記偏りの方向および大きさに応じた値を算出し、該値と目標値とを比較して前記記録レーザパワーを設定することを特徴とするレーザパワー設定方法。
【請求項９】
請求項８において、
異なる数種のレーザパワーで記録した記録箇所を再生して取得した前記値から記録パワーと前記値の関係を示す近似特性を算出し、該近似特性にて前記値の目標値となるレーザパワーを記録パワーとして取得することを特徴とするレーザパワー設定方法。
【請求項１０】
ビタビ復号手段にて設定される期待値の分布状態に基づき記録レーザパワーを設定することを特徴とするレーザパワー設定方法。
【請求項１１】
請求項１０において、
期待値レンジに対する期待値分布の偏りに応じて前記記録レーザパワーを設定することを特徴とするレーザパワー設定方法。
【請求項１２】
請求項１１において、
前記偏りの方向および大きさに応じた値を算出し、該値と目標値とを比較して前記記録レーザパワーを設定することを特徴とするレーザパワー設定方法。
【請求項１３】
請求項１２において、
異なる数種のレーザパワーで記録した記録箇所を再生して取得した前記値から記録パワーと前記値の関係を示す近似特性を算出し、該近似特性にて前記値の目標値となるレーザパワーを記録パワーとして取得することを特徴とするレーザパワー設定方法。
【発明の詳細な説明】
【技術分野】
【０００１】
本発明は、レーザ光を用いてディスク上に情報を記録再生する光ディスク装置に関し、特に、記録レーザパワーを調整する際に用いて好適なものである。
【背景技術】
【０００２】
ＣＤ−Ｒ（Compact Disc - Recordable）やＤＶＤ−Ｒ（Digital Versatile Disc - Recordable）等のディスクに記録再生を行う光ディスク装置においては、予め設定されたレーザパワー調整エリアに試し書きを行って、記録レーザパワーを最適パワーに設定する処理が行われる。かかるパワー設定は、通常、β法に従って行われる（特許文献１）。すなわち、レーザパワー調整エリアに所定パワーにて試し書きを行い、その再生ＲＦ信号（アシンメトリ）からβ値を求め、このβ値と、当該ディスクにて要求される目標β値とを比較して、記録レーザパワーを設定する。
【０００３】
図１０にβ値の算出方法を示す。図示の如く、β値は、基準電位Ｉrefに対するアシンメトリの振幅値Ｉtop、Ｉbtmから、β＝（Ｉtop＋Ｉbtm）／（Ｉtop−Ｉbtm）を演算して求められる。記録レーザパワーの設定は、たとえば、異なるレーザパワーにて試し書きを行ってβ値を複数取得し、これらβ値を直線近似したときに目標β値を与えるレーザパワーを求め、求めたレーザパワーを記録レーザパワーに設定する方法にて行われる。
【特許文献１】特開２００２−２６０２３０号公報
【発明の開示】
【発明が解決しようとする課題】
【０００４】
上記において、β値は、たとえば図１１に示すアナログ回路にて測定取得される。すなわち、Ｃ結合したＲＦ信号に対して、基準電位をＩrefとして、ピークホールド回路（P／H）およびボトムホールド回路（B/H）によりＩtop、Ｉbtmを求め、求めたＩtop、Ｉbtmからマイコン（μ−com）にてβ＝（Ｉtop＋Ｉbtm）／（Ｉtop−Ｉbtm）を演算して、β値を取得する。
【０００５】
しかし、この場合には、図１１に示すようなアナログ回路が別途必要となる。また、アナログ回路では処理の高速化に限界があるとの問題がある。
【０００６】
そこで、本発明は、アナログ回路を必要とせず、且つ、処理の高速化を図れるレーザパワー設定手法ならびにそれを搭載した光ディスク装置を提供することを課題とする。
【課題を解決するための手段】
【０００７】
本発明は、光ディスク装置とレーザパワー設定方法の２局面から把握できる。
【０００８】
まず、光ディスク装置に係る発明は、レーザ光を用いてディスク上に情報を記録再生する光ディスク装置において、所定サンプリングタイミングにおける再生信号の振幅値データを取得する振幅値データ取得手段と、該振幅値データ取得手段にて取得された振幅値データから振幅値の分布状態を検出し、その検出結果に基づいて記録レーザパワーを設定するレーザパワー設定手段とを有することを特徴とする。
【０００９】
ここで、前記レーザパワー設定手段は、振幅値レンジに対する振幅値分布の偏りを検出し、該検出結果をもとに前記記録レーザパワーを設定するよう構成することができる。
【００１０】
さらに、この構成において、前記レーザパワー設定手段は、前記偏りの方向および大きさに応じた値を算出し、該値と目標値とを比較して前記記録レーザパワーを設定するよう構成することができる。
【００１１】
より具体的には、前記レーザパワー設定手段は、異なる数種のレーザパワーで記録した記録箇所を再生して取得した前記値から記録パワーと前記値の関係を示す近似特性を算出し、該近似特性にて前記値の目標値となるレーザパワーを記録パワーとして取得するよう構成することができる。
【００１２】
なお、当該光ディスク装置がビタビ復号手段を備える場合には、ビタビ復号手段にて設定された期待値をもとに、前記振幅値の分布状態を検出するよう、前記レーザパワー設定手段を構成することもできる。この場合、既に存在するビタビ復号手段の期待値をそのまま振幅値の分布状態の検出に用いることができるので、構成ないし処理の簡素化を図ることができる。
【００１３】
また、レーザパワー設定方法に係る発明は、再生信号をＡ／Ｄ変換して取り込んだ振幅値データから、所定サンプリングタイミングにおける振幅値の分布状態を検出し、検出した分布状態に基づいて記録レーザパワーを設定することを特徴とする。
【００１４】
また、再生信号をＡ／Ｄ変換して取り込んだ振幅値データから、所定サンプリングタイミングにおける振幅値の分布状態を検出し、振幅値レンジに対する振幅値分布の偏りに応じて前記記録レーザパワーを設定することを特徴とする。
【００１５】
かかるレーザパワー設定方法では、前記偏りの方向および大きさに応じた値を算出し、該値と目標値とを比較して前記記録レーザパワーを設定するようにすることができる。
【００１６】
より具体的には、異なる数種のレーザパワーで記録した記録箇所を再生して取得した前記値から記録パワーと前記値の関係を示す近似特性を算出し、該近似特性にて前記値の目標値となるレーザパワーを記録パワーとして取得するようにすることができる。
【００１７】
本発明に係るレーザパワー設定方法をビタビ復号手段を有する光ディスク装置に適用する場合には、ビタビ復号手段にて設定される期待値の分布状態に基づき記録レーザパワーを設定するものとすることができる。
【００１８】
このとき、記録レーザパワーの設定は、期待値レンジに対する期待値分布の偏りをもとに行うようにすることができる。さらに、前記偏りの方向および大きさに応じた値を算出し、該値と目標値とを比較して前記記録レーザパワーを設定するようにすることができる。
【００１９】
より具体的には、異なる数種のレーザパワーで記録した記録箇所を再生して取得した前記値から記録パワーと前記値の関係を示す近似特性を算出し、該近似特性にて前記値の目標値となるレーザパワーを記録パワーとして取得するようにすることができる。
【００２０】
これらの発明では、既に存在するビタビ復号手段からの期待値をそのまま振幅値の分布状態の検出に用いることができるので、処理の簡略化を図ることができる。
【発明の効果】
【００２１】
本発明によれば、アナログ回路が不要となり、また、記録レーザパワーの設定処理を円滑かつ高速化することができる。さらに、当該光ディスク装置がビタビ復号手段を備える場合には、既に存在するビタビ復号手段の期待値をそのまま振幅値の分布状態の検出に用いることができるので、光ディスク装置の構成の簡素化およびレーザパワー設定処理の簡略化を図ることができる。
【００２２】
本発明の特徴は、以下に示す実施の形態の説明により更に明らかとなろう。但し、以下の実施の形態は、本発明の一つの実施形態であって、本発明ないし各構成要件の用語の意義は、以下の実施の形態に記載されたものに制限されるものではない。
【発明を実施するための最良の形態】
【００２３】
以下、本発明の実施の形態につき図面を参照して説明する。なお、本実施の形態は、青紫レーザ光を用いた高密度ＤＶＤ−Ｒ（ＨＤ−ＤＶＤ−Ｒ）の記録再生装置に本発明を適用したものである。
【００２４】
図１に、実施の形態に係る光ディスク装置の構成を示す。
【００２５】
図示の如く、光ディスク装置は、エンコーダ１０１と、変調回路１０２と、レーザ駆動回路１０３と、レーザパワー調整回路１０４と、光ピックアップ１０５と、信号増幅回路１０６と、Ａ／Ｄ変換回路１０７と、オフセット調整回路１０８と、ＰＬＬ１０９と、イコライザ１１０と、ビタビ復号回路１１１と、デコーダ１１２と、アシンメトリ検出回路１１３と、サーボ回路１１４と、ＡＤＩＰ再生回路１１５と、コントローラ１１６とから構成されている。
【００２６】
エンコーダ１０１は、入力された記録データに対し誤り訂正符号の付加等のエンコード処理を施し、変調回路１０２へと出力する。変調回路１０２は、入力された記録データに所定の変調を施し、さらに記録信号を生成してレーザ駆動回路１０３に出力する。レーザ駆動回路１０３は、記録時には変調回路１０２からの記録信号に応じた駆動信号を半導体レーザ１０５ａに出力し、再生時には一定強度のレーザ光を出射するための駆動信号を半導体レーザ１０５ａに出力する。ここで、レーザパワーは、レーザパワー調整回路１０４によって調整・設定されたパワーに設定される。
【００２７】
レーザパワー調整回路１０４は、記録および再生時のレーザパワーを初期設定するとともに、設定したレーザパワーを、コントローラ１１６から供給される調整値に応じて適宜調整し、これをレーザ駆動回路１０３に供給する。なお、レーザパワーの設定処理については後って詳述する。
【００２８】
光ピックアップ１０５は、半導体レーザ１０５ａおよび光検出器１０５ｂを備え、レーザ光をディスク上に収束させることにより、ディスクに対するデータの書き込み／読み出しを行う。なお、光ピックアップ１０５は、この他、ディスクに対するレーザ光の照射状態を調整するための対物レンズアクチュエータと、半導体レーザ１０５ａから出射されたレーザ光を対物レンズに導き、且つ、ディスク１００からの反射光を光検出器１０５ｂに導くための光学系等を備えている。
【００２９】
信号増幅回路１０６は、光検出器１０５ｂから受信した信号を増幅および演算処理して各種信号を生成し、これを対応する回路に出力する。
【００３０】
Ａ／Ｄ変換回路１０７は、信号増幅回路１０６から入力された再生ＲＦ信号をＡ／Ｄ変換して振幅値データを出力する。オフセット調整回路１０８は、ビタビ復号回路１１１からの期待値リストをもとにアシンメトリのオフセットを検出し、オフセットを解消するよう振幅値データを補正する。なお、オフセット検出処理については、追って詳述する。
【００３１】
ＰＬＬ（デジタルＰＬＬ）１０９は、Ａ／Ｄ変換回路１０７のサンプルタイミングと再生データのサンプルタイミングの位相ずれを補償し、適正タイミングの振幅値データを出力する。イコライザ１１０は、ＰＬＬ１０９から入力される振幅値データに対し波形等化処理を施す。ビタビ復号回路１１１は、イコライザ１１０から入力される振幅値データをもとに期待値を設定し、設定した期待値をもとにビタビ復号処理を施す。デコーダ１１２は、ビタビ復号されたデータに対し誤り訂正等のデコード処理を施し、後段回路に出力する。
【００３２】
アシンメトリ検出回路１１３は、ビタビ復号回路１１１から入力される期待値リストをもとにアシンメトリのズレ（偏り）を検出し、ズレの方向および大きさを表す値（アシンメトリ値）をコントローラ１１６に出力する。なお、アシンメトリのズレの検出処理ないしアシンメトリ値の算出処理については、追って詳述する。
【００３３】
サーボ回路１１４は、信号増幅回路１０６から入力されたフォーカスエラー信号およびトラッキングエラー信号からフォーカスサーボ信号およびトラッキングサーボ信号を生成し、光ピックアップ１０５の対物レンズアクチュエータに出力する。また、信号増幅回路１０６から入力されたウォブル信号からモータサーボ信号を生成し、ディスク駆動モータに出力する。
【００３４】
ＡＤＩＰ再生回路１１５は、信号増幅回路１０６から入力されたウォブル信号からアドレス情報および各種コントロール情報を再生し、これらをコントローラ１１６に出力する。
【００３５】
なお、ディスク１００上に形成されているグルーブは、径方向に蛇行（ウォブル）しており、このウォブルによってアドレス情報が保持されている。すなわち、ＡＤＩＰ（Address in pre-groove）と呼ばれる位相変調区間が、単調蛇行区間中に一定周期で挿入されており、かかる位相変調区間をビームが走査するとき、その反射光強度の変化からグルーブ上のアドレス情報が読み取られ再生される。また、リードイン領域のＡＤＩＰには、当該ディスクに対する種々の制御データが位相変調によって記録されている。この中には、当該ディスクを製造したディスク製造業者の識別情報（マニュファクチャＩＤ）等が含まれている。
【００３６】
コントローラ１１６は、内蔵メモリに各種データを格納するとともに、あらかじめ設定されたプログラムに従って、各部を制御する。
【００３７】
図２〜図４に、ビタビ復号回路１１１から取得される期待値リストとそのときのアシンメトリの状態を示す。
【００３８】
図２は、適正な記録レーザパワーにて記録を行った場合の状態を示す図である。図示の如く、この場合には、期待値リスト中に含まれるそれぞれの期待値は均等間隔に分布し、また、中央の期待値（４）の信号レベルＥ４は、アシンメトリの信号レンジの中央値（Ｌ０）に略一致する。したがって、８番目の期待値（８）の信号レベルＥ８と中央の期待値（４）の信号レベルＥ４の差と、中央の期待値（４）の信号レベルＥ４と０番目の期待値（０）の信号レベルＥ０の差は等しくなる。
【００３９】
図３は、パワー不足のレーザ光にて記録を行った場合の状態を示す図である。図示の如く、この場合には、期待値リスト中に含まれるそれぞれの期待値は信号レベルが高いほど密となるよう分布している。したがって、８番目の期待値（８）の信号レベルＥ８と中央の期待値（４）の信号レベルＥ４の差は、中央の期待値（４）の信号レベルＥ４と０番目の期待値（０）の信号レベルＥ０の差よりも小さくなる。また、中央の期待値（４）の信号レベルＥ４は、アシンメトリの信号レンジの中央値（Ｌ０）よりも大きくなっている。
【００４０】
図４は、パワー過剰のレーザ光にて記録を行った場合の状態を示す図である。図示の如く、この場合には、期待値リスト中に含まれるそれぞれの期待値は信号レベルが低いほど密となるよう分布している。したがって、８番目の期待値（８）の信号レベルＥ８と中央の期待値（４）の信号レベルＥ４の差は、中央の期待値（４）の信号レベルＥ４と０番目の期待値（０）の信号レベルＥ０の差よりも大きくなる。また、中央の期待値（４）の信号レベルＥ４は、アシンメトリの信号レンジの中央値（Ｌ０）よりも小さくなっている。
【００４１】
上記オフセット調整回路１０８は、ビタビ復号回路１１１から入力される期待値リストをもとに、中央の期待値（４）の信号レベルＥ４と、アシンメトリの信号レンジの中央値（Ｌ０）の差を検出する。そして、この差（大きさ、正負）をもとにアシンメトリのオフセットを検出し、このオフセットを解消するよう振幅値データを補正する。
【００４２】
上記アシンメトリ検出回路１１３は、ビタビ復号回路１１１から入力される期待値リストをもとに、８番目の期待値（８）の信号レベルＥ８と中央の期待値（４）の信号レベルＥ４の差と、中央の期待値（４）の信号レベルＥ４と０番目の期待値（０）の信号レベルＥ０の差を検出する。そして、これら２つの差をさらに減算することにより、アシンメトリのズレ（偏り）の方向および大きさを表す値（アシンメトリ値）を取得する。
【００４３】
図３の場合のアシンメトリ値Ａ１は、
Ａ１＝(E8−E4)−(E4−E0)＝ 3.3−4.7 ＝ −1.4
となる。また、図４の場合のアシンメトリ値Ａ２は、
Ａ２＝(E8−E4)−(E4−E0)＝ 4.6−3.4 ＝ 1.2
となる。
【００４４】
コントローラ１１６は、取得したアシンメトリ値から近似直線を算出し、近似直線上において目標値を与えるレーザパワーを記録パワーに設定する。
【００４５】
図５に、かかるレーザパワーの設定手法を示す。ここで、アシンメトリ値ＡとレーザパワーＰの直線近似式の傾きをａ、切片をＰｂとすると、Ｐ＝ａＡ＋Ｐｂが成り立つ。ここで、傾きａ、切片Ｐｂはそれぞれ、
ａ＝（Ｐｗ２−Ｐｗ１）／（Ａ２−Ａ１）…（１）
Ｐｂ＝Ｐｗ２−Ａ２＊ａ                  …（２）
となる。
【００４６】
上記図３および図４の場合における記録レーザパワーＰｗ１、Ｐｗ２をそれぞれ１２ｍＷ、１５ｍＷとすると、式（１）（２）から、
Ｐｂ＝15−｛（15−12）／（1.2＋1.4）｝≒13.4ｍｗ
となる。ここで、アシンメトリ値の目標値が０の場合には、記録レーザパワーはＰｂに設定される。０以外の値が目標値とされる場合には、上記式（１）（２）をもとに傾きａと切片Ｐｂを求めた後、Ｐ＝ａＡ＋Ｐｂに目標値となるアシンメトリ値を代入する。これにより、記録レーザパワーの設定値が取得される。
【００４７】
図６に、記録レーザパワー設定時の処理フローを示す。
【００４８】
記録レーザパワーの設定処理が開始されると、コントローラ１１６は、まず、光ピックアップ１０５をレーザパワー調整エリアにアクセスさせ、当該エリアに記録レーザパワーＰｗ１、Ｐｗ２にて試し書きを行わせる（Ｓ１０１）。そして、試し書きを行った箇所を再生し、このときにビタビ復号回路１１１に設定された期待値リストをアシンメトリ検出回路１１３に取得させる（Ｓ１０２）。これを受けて、アシンメトリ検出回路１１３は、上記の如くして、記録レーザパワーＰｗ１にて試し書きを行ったときのアシンメトリ値Ａ１と、記録レーザパワーＰｗ２にて試し書きを行ったときのアシンメトリ値Ａ２をそれぞれ取得し、これをコントローラ１１６に出力する（Ｓ１０３）。
【００４９】
コントローラ１１６は、入力されたアシンメトリ値Ａ１、Ａ２をもとに、上記図５に示す如くして近似直線Ｐ＝ａＡ＋Ｐｂを求め、これに目標値となるアシンメトリ値を代入してパワーＰ０を算出する（Ｓ１０４）。そして、算出したパワーＰ０にて再度試し書きを行い（Ｓ１０５）、これを再生したときのエラーレートをモニタする。なお、エラーレートは、デコーダ１１２からコントローラ１１６に入力される。
【００５０】
コントローラ１１６は、入力されたエラーレートが閾値Ｅｓ未満であるかを判別し（Ｓ１０６）、閾値未満であれば、Ｓ１０４にて算出したパワーＰ０を記録レーザパワーとして設定する。他方、閾値以上であれば、Ｓ１０１に戻り、再度、レーザパワーの設定処理をやり直す。
【００５１】
以上、本実施の形態によれば、レーザパワーの設定回路としてピークホールド回路やボトムホールド回路等のアナログ回路を配する必要がなく、デジタル処理にて迅速かつ円滑に記録レーザパワーを設定することができる。加えて、本実施の形態によれば、予め再生系として準備されている回路（Ａ／Ｄ変換回路１０７〜ビタビ復号回路１１１）をそのままレーザパワーの設定処理用として用いることができるので、回路構成の簡素化と処理ルーチンの簡略化を図ることができる。
【００５２】
なお、上記では、ビタビ復号回路１１１にて設定された期待値リストをもとにアシンメトリのズレを検出するようにしたが、イコライザ１１０によって波形等化された振幅値データを用いてアシンメトリのズレを検出することもできる。ずなわち、図７〜図９に示す如く、イコライザ１１０から出力される振幅値データから記録マーク長に応じた振幅値分布を取得し、取得した振幅値分布が信号レベルの高低何れに偏っているかに応じて、レーザパワーの不足、過剰を検出するようにすることもできる。
【００５３】
たとえば、各ピークのうち、０番目、４番目、８番目のピーク（０）、ピーク（４）、ピーク（８）をもとに、上記期待値の場合と同様、ピーク（８）の信号レベルＥ８とピーク（４）の信号レベルＥ４の差と、ピーク（４）の信号レベルＥ４とピーク（０）の信号レベルＥ０の差を検出し、さらに、これら２つの差を減算することによって、アシンメトリのズレ（偏り）の方向および大きさを表す値（アシンメトリ値）を取得するようにする。
【００５４】
この他、ＰＬＬ１０９から出力される振幅値データを用いて振幅値分布を取得し、これをもとに同様にして、アシンメトリ値を取得するようにすることもでき、さらには、Ａ／Ｄ変換回路１０７から出力される振幅値データを用いて、アシンメトリ値を取得するようにすることもできる。
【００５５】
また、アシンメトリ値の算出方法は、実施の形態に記載された方法に制限されるものではなく、アシンメトリのズレ（偏り）が検出できるものであれば、適宜、他の方法を用いることもできる。
【００５６】
また、アシンメトリ値の目標値はゼロ以外の値とすることもできる。アシンメトリ値の目標値は、信号処理的にはゼロが望ましいが、ディスク性能や特性によっては、多少アシンメトリがずれていた方がＳ／Ｎが高く、結果的にエラーの減少につながる場合がある。たとえば、アシンメトリがゼロになる記録パワーよりも少し高いパワーで記録した方がＳ／Ｎが良くなる場合がある。このような点を考慮して、アシンメトリ値の目標値をゼロ以外の値に設定するようにしても良い。
【００５７】
なお、アシンメトリ値の目標値がディスク毎に設定される場合には、ディスク固有のパラメータとして、目標値を、ディスクのリードイン領域等に予め記録・保持しておく。記録レーザパワー設定時には、リードイン領域から目標値を読み出し、これをもとに、記録レーザパワーの設定を行うようにする。この他、マニュファクチャＩＤと目標アシンメトリ値とを対応付けたテーブルをコントローラに保持しておき、ディスクのリードイン領域（ＡＤＩＰ）から取得したマニュファクチャＩＤと当該テーブルとを比較して、対応する目標アシンメトリ値を取得するようにしても良い。
【００５８】
また、本発明は、ＨＤ−ＤＶＤ−Ｒの記録再生装置に限らず、他の光ディスク装置にも適宜適用可能なものである。
【００５９】
この他、本発明の実施の形態は、特許請求の範囲に示された技術的思想の範囲内において、適宜、種々の変更が可能である。
【図面の簡単な説明】
【００６０】
【図１】実施の形態に係る光ディスク装置の構成を示す図
【図２】期待値とアシンメトリの状態（パワー適正時）を示す図
【図３】期待値とアシンメトリの状態（パワー不足時）を示す図
【図４】期待値とアシンメトリの状態（パワー過剰時）を示す図
【図５】実施の形態に係る記録レーザパワーの設定方法を説明する図
【図６】実施の形態に係る記録レーザパワーの設定処理を示すフロー図
【図７】振幅値分布とアシンメトリの状態（パワー適正時）を示す図
【図８】振幅値分布とアシンメトリの状態（パワー不足時）を示す図
【図９】振幅値分布とアシンメトリの状態（パワー過剰時）を示す図
【図１０】従来例に係るβ値の算出方法を示す図
【図１１】従来例に係るβ値の取得回路を示す図
【符号の説明】
【００６１】
１０３  レーザ駆動回路
１０４  レーザパワー調整回路
１１１  ビタビ復号回路
１１３  アシンメトリ検出回路
１１６  コントローラ
【図１】
2006012339.tif 000003
【図２】
2006012339.tif 000004
【図３】
2006012339.tif 000005
【図４】
2006012339.tif 000006
【図５】
2006012339.tif 000007
【図６】
2006012339.tif 000008
【図７】
2006012339.tif 000009
【図８】
2006012339.tif 000010
【図９】
2006012339.tif 000011
【図１０】
2006012339.tif 000012
【図１１】
2006012339.tif 000013